(57)【特許請求の範囲】
【請求項１】
液透過性のトップシート、液不透過性のバックシート及び液体保持性の吸収体を具備し、レッグ部弾性部材が配された長方形状のおむつ本体と、胴部弾性部材が配された細帯状の一対の弾性部材付設シートとからなり、
着用時に着用者の股下に位置する股下部に、上記吸収体が上記バックシートに接着されて中央吸収部が形成されていると共に、該中央吸収部の左右両側において、該バックシートから分離された上記吸収体と、該吸収体を覆うように配された上記トップシートと、該吸収体の縁端部に配されたフラップ弾性部材とからなる吸収性フラップ、及び該バックシートからなる防漏フラップが形成されており、
一対の上記弾性部材付設シートは、上記おむつ本体の腹側部を構成する下方部及び背側部を構成する上方部に、それらの両側方部がそれぞれ上記おむつ本体の左右両側縁から外方に延出するように配されており、
上記レッグ部弾性部材は、上記おむつ本体の長手方向に沿って設けられた一対の第１レッグ部弾性部材と、一対の該第１レッグ部弾性部材よりも該おむつ本体の幅方向内方に設けられた一対の第２レッグ部弾性部材とからなり、
上記フラップ弾性部材は、上記吸収性フラップの端縁部に配されており、
上記第１及び第２レッグ部弾性部材は、それぞれ、上記防漏フラップに位置しており、該防漏フラップにおける、上記第１レッグ部弾性部材と上記第２レッグ部弾性部材との間にポケット部が形成されるようになされており、
上記腹側部に配された上記弾性部材付設シートの両側縁部と上記背側部に配された上記弾性部材付設シートの両側縁部とは、それぞれ接合されて、左右一対の接合部が形成されていると共に、胴部に実質的におむつの胴周囲方向に連続した胴回りギャザーが形成されている、
ことを特徴とするパンツ型の使い捨ておむつ。
【請求項２】
上記第１レッグ部弾性部材及び上記第２レッグ部弾性部材は、それらの両端部の位置が、一対の上記弾性部材付設シートそれぞれのおむつ股下部側の端縁の位置と略一致している、請求項１記載の使い捨ておむつ。
【請求項３】
上記第１レッグ部弾性部材と上記第２レッグ部弾性部材とにより、３角形状が形成されるようになされている請求項１又は２記載のパンツ型の使い捨ておむつ。
【請求項４】
上記第１及び第２レッグ部弾性部材と上記胴部弾性部材とにより、腹側部側及び背側部側における着用者の下腹部に位置する部位にそれぞれポケット部が形成され、上記第１及び第２レッグ部弾性部材により、股下部における、第１レッグ部弾性部材と第２レッグ部弾性部材との間、及び一対の第２レッグ部弾性部材間に、それぞれポケット部が形成されるようになされている請求項１〜３の何れか記載のパンツ型の使い捨ておむつ。
【発明の詳細な説明】
【０００１】
【発明の属する技術分野】
本発明は、脚周りの開放感が良好で、装着感に優れ、更にはフィット性にも優れたパンツ型の使い捨ておむつに関する。
【０００２】
【従来の技術及び発明が解決しようとする課題】
従来より、液透過性のトップシートと、液不透過性のバックシートと、両シート間に介在された液体保持性の吸収体とを具備してなり、腹側部の左右両側縁部と背側部の左右両側縁部とを接合して左右一対の接合部が形成されており、ウエスト部及びレッグ部に、それぞれ、弾性部材が配されており、使い捨ておむつの胴周囲方向に連続したギャザーが形成されている、パンツ型の使い捨ておむつは、広く用いられている。
【０００３】
しかし、従来のパンツ型の使い捨ておむつは、ウエスト部及びレッグ部のフィット性を高めて、漏れ防止性能を向上させるなどのために、おむつを展開した状態における長手方向中央部（股下部）の幅よりも長手方向両端部（腹側部及び背側部）の幅の方が広くなるように、股下部を湾曲させた形状となされていた。このため、従来のパンツ型使い捨ておむつにおいては、下記するような問題があった。
即ち、脚周り部分が着用者の脚及び脚の付け根を必要以上に覆うような構造であったため、暑苦しく、装着感が悪い。また、製造時において部材を特殊な形状にカットする必要があるため、生産工程が複雑化し、生産性に劣り、またコストも高い。
このような問題は、特に、夏場や暑い地方において顕著な問題である。
【０００４】
従って、本発明の目的は、脚周りの開放感が良好で、装着感に優れ、更にはフィット性及び生産性にも優れたパンツ型の使い捨ておむつを提供することにある。
【０００５】
【課題を解決するための手段】
本発明者らは、上記課題を解決するために鋭意検討した結果、おむつを長方形状のおむつ本体と細帯状の弾性部材付設シートとからなり、また、おむつ本体に第１レッグ部弾性部材及び第２レッグ部弾性部材を設けて、胴部及びレッグ部にそれぞれギャザーを形成し、更におむつの左右両側に吸収体からなる吸収性フラップを有するパンツ型の使い捨ておむつが、上記目的を達成しうることを知見した。
【０００６】
本発明は、上記知見に基づいてなされたもので、液透過性のトップシート、液不透過性のバックシート及び液体保持性の吸収体を具備し、レッグ部弾性部材が配された長方形状のおむつ本体と、胴部弾性部材が配された細帯状の一対の弾性部材付設シートとからなり、着用時に着用者の股下に位置する股下部に、上記吸収体が上記バックシートに接着されて中央吸収部が形成されていると共に、該中央吸収部の左右両側において、該バックシートから分離された上記吸収体と、該吸収体を覆うように配された上記トップシートと、該吸収体の縁端部に配されたフラップ弾性部材とからなる吸収性フラップ、及び該バックシートからなる防漏フラップが形成されており、一対の上記弾性部材付設シートは、上記おむつ本体の腹側部を構成する下方部及び背側部を構成する上方部に、それらの両側方部がそれぞれ上記おむつ本体の左右両側縁から外方に延出するように配されており、上記レッグ部弾性部材は、上記おむつ本体の長手方向に沿って設けられた一対の第１レッグ部弾性部材と、一対の該第１レッグ部弾性部材よりも該おむつ本体の幅方向内方に設けられた一対の第２レッグ部弾性部材とからなり、上記フラップ弾性部材は、上記吸収性フラップの端縁部に配されており、上記第１及び第２レッグ部弾性部材は、それぞれ、上記防漏フラップに位置しており、該防漏フラップにおける、上記第１レッグ部弾性部材と上記第２レッグ部弾性部材との間にポケット部が形成されるようになされており、上記腹側部に配された上記弾性部材付設シートの両側縁部と上記背側部に配された上記弾性部材付設シートの両側縁部とは、それぞれ接合されて、左右一対の接合部が形成されていると共に、胴部に実質的におむつの胴周囲方向に連続した胴回りギャザーが形成されているパンツ型の使い捨ておむつを提供するものである。
【０００７】
【発明の実施の態様】
以下、図面を参照して本発明を更に詳細に説明する。
ここで、図１は、本発明のパンツ型の使い捨ておむつの１形態を示す斜視図であり、図２は、図１に示すパンツ型の使い捨ておむつの展開図であり、図３は、図２のIII-III 拡大断面図であり、図４は、図２のIV-IV 拡大断面図である。
また、図５は、図１に示すパンツ型の使い捨ておむつの使用状態を示す概要図であり、図６は、図５に示す使い捨ておむつのVI-VI 断面図（股下部中央部における幅方向断面図）である。
【０００８】
本形態のパンツ型の使い捨ておむつ１は、図１及び図２に示すように、液透過性のトップシート２、液不透過性のバックシート３、及び液体保持性の吸収体４を具備し、レッグ部６にレッグ部弾性部材６１が配された、長方形状のおむつ本体１０と、胴部弾性部材５１が配された細帯状の一対の弾性部材付設シート７とからなる。
そして、着用時に着用者の股下に位置する股下部Ｃに、上記吸収体４が上記バックシート３に接着されて中央吸収部１１が形成されていると共に、該中央吸収部１１の左右両側において、該バックシート３から分離された上記吸収体４と、該吸収体４を覆うように配された上記トップシート２と、該吸収体４の縁端部４ａに配されたフラップ弾性部材４３とからなる吸収性フラップ１３、及び該バックシート３からなる防漏フラップ１２が形成されており、一対の上記弾性部材付設シート７，７は、上記おむつ本体１０における腹側部Ａを構成する下方部Ａ’及び背側部Ｂを構成する上方部Ｂ’において、それらの両側方部７０ａ，７０ｂ，７０ａ’，７０ｂ’がそれぞれ上記おむつ本体１０の左右両側縁１０ａ，１０ｂから外方に延出するように配されており、上記レッグ部弾性部材６１は、上記おむつ本体１０の長手方向に沿って設けられた一対の第１レッグ部弾性部材６２と、一対の該第１レッグ部弾性部材６２よりも該おむつ本体１０の幅方向内方に設けられた一対の第２レッグ部弾性部材６３とからなり、上記腹側部Ａに配された上記弾性部材付設シート７の両側縁部７ａ，７ｂと上記背側部Ｂに配された上記弾性部材付設シート７の両側縁部７ａ’，７ｂ’とは、それぞれ接合されて、左右一対の接合部８，８が形成されていると共に、胴部５に実質的におむつの胴周囲方向に連続した胴回りギャザーが形成されている。
【０００９】
本形態において用いられる上記トップシート２、上記バックシート３、及び上記吸収体４については、いずれも、従来これらの形成材料として用いられるものを特に制限なく用いて形成することができる。
【００１０】
また、上記「胴部」とは、図１及び２に示すように、着用時に着用者のウエスト回り（ウエスト開口部）及び胴回りに位置する部分を意味する。
【００１１】
更に詳述すると、図２に示すように、上記おむつ本体１０の外周形を構成している上記トップシート２及び上記バックシート３は、それぞれ、ほぼ同形状である。上記吸収体４は、上記トップシート２及び上記バックシート３よりもやや小さい長方形状である。
上記弾性部材付設シート７は、幅広のシートをその幅方向中心線において２つ折りに折り畳んだ２層構造となされており、全体として細帯状となされている。また、該弾性部材付設シート７は、その端縁が上記おむつ本体の端縁に沿うように配され、上記トップシート２及び上記バックシート３により挟持固定されている（図３参照）。
上記弾性部材付設シート７の幅Ｗ1 は、上記おむつ本体１０の長さＬ1 に対して、該おむつ本体１０の長さＬ1 を１００とした場合に５〜２５とするのが好ましい。また、おむつ本体１０の長さＬ1 は３５０〜５００mmとするのが好ましく、上記弾性部材付設シート７の幅Ｗ1 は、３０〜１００mmとするのが好ましい。尚、上記弾性部材付設シート７の幅Ｗ1 は、上記胴部５の巾にほぼ等しい。
尚、本発明の使い捨ておむつを大人用として用いる場合には、上記長さＬ1 は最大１０００mm迄とすることができ、また上記幅Ｗ1 は最大２００mmとすることができる。
上記弾性部材付設シート７の延出長さＬ2 は、上記おむつ本体１０の幅Ｗ2 に対して、該おむつ本体１０の幅Ｗ2 を１００とした場合に３０〜２００とするのが好ましい。また、上記弾性部材付設シート７の延出長さＬ2 は、３５〜１００mmとするのが好ましく、上記おむつ本体１０の幅Ｗ2 は、３００〜４００mmとするのが好ましい。
【００１２】
また、上記胴部弾性部材５１は、図２及び３に示すように、２層の弾性部材付設シート７、７間において接着剤を介して固着されており、上記弾性部材付設シート７の幅方向全域に亘ってほぼ等間隔に６本設けられている。
各上記胴部弾性部材５１間の間隔Ｄ1 は、３〜２０mmとするのが好ましい。
【００１３】
また、上記中央吸収部１１は、おむつ本体１０の幅方向中央部において、上記吸収体４を上記バックシート３に接着剤を介して接着して形成されており、トップシート２とバックシート３と両シート２，３により挟持固定された吸収体４とからなる。
そして、上記中央吸収部１１の左右両側においては、上記吸収体４は上記バックシート３に接着されておらず、これにより、吸収性フラップ１３及び防漏フラップ１２が形成されている。
そして、上記吸収性フラップ１３は、上記中央吸収部１１の左右両側に位置する吸収体４の外面全面をトップシート２で覆って形成されており、吸収体４の端縁４ａにフラップ弾性部材４３が配されている。
要するに、本発明の使い捨ておむつは、展開状体でトップシート側から平面視した場合に、股下部Ｃにおいて、吸収体４とバックシート３とが接着されてなる部分（中央吸収部１１）と、両者が接着されていない部分とがあり、この接着されていない部分に吸収性フラップ１３と防漏フラップ１２とが形成されている。
【００１４】
また、上記防漏フラップ１２は、バックシート３にトップシート２を貼り合わせて形成されている。そして、上記第１及び第２レッグ部弾性部材６２，６３は、それぞれ、上記防漏フラップ１２に位置している。即ち、上記防漏フラップは、バックシート３を主たる部材として構成されていればよい。
そして、上記中央吸収部１１と上記防漏フラップ１２及び上記吸収性フラップ１３とは、上記第２レッグ部弾性部材６３を境界としている。即ち、上記第２レッグ弾性部材６３の内方では、吸収体４はバックシート３に接着されて中央吸収部１１が形成されており、その外方では、吸収体４とバックシート３とは分離されている。
このため、中央吸収部１１の幅と吸収性フラップ１３（防漏フラップ１２）の幅との比は、おむつ本体１０の長手方向における位置により、第２レッグ部弾性部材６３が如何なる配置形状にあるかに応じて変動する。具体的には、本形態においては、股下部中央における中央吸収部１１の幅と吸収性フラップ１３の幅の比は１：０．１〜１．５であり、上記弾性部材付設シート７の近傍における股下部中央における中央吸収部１１の幅Ｗ3 と吸収性フラップ１３の幅Ｗ4 との比は１：０．１〜１．５である。また、股下部中央における中央吸収部の幅は、各第２レッグ部弾性部材６３間の間隔に等しい。
【００１５】
また、上記弾性部材４３は、上記吸収性フラップ１３の縁端部１３ａにおいて、吸収体４の上面側に接着剤を介して配されている。
このように、弾性部材４３が配されていることにより、上記吸収性フラップ１３は、弾性部材４３の伸縮力により、無加圧状態ではおむつの上方（トップシート２側）に向けて起立する。
また、この際用いることができる弾性部材及び接着剤としては、通常使い捨ておむつに用いられるものであれば、特に制限なく用いることができるが、弾性部材の太さは、０．１〜０．５ｍｍとするのが好ましく、弾性率は１．０〜５．０×１０6 Paとするのが好ましい。尚、弾性率の測定法については、後述する。
【００１６】
上記第１レッグ部弾性部材６２は、図４に示すように、上記おむつ本体１０の左右両側縁部における吸収体４が存在しない箇所において、該おむつ本体１０の長手方向に沿って２本づつ配されており、上記トップシート２と上記バックシート３とにより挟持固定されている。
また、上記第２レッグ部弾性部材６３は、図２に示すように、おむつの股下部Ｃの中央に位置する中央部６３ｂが折曲点となるように、中央部６３ｂで折曲された折線状に３本づつ配されている。即ち、上記第２レッグ部弾性部材６３は、その両端部６３ａよりも中央部６３ｂがおむつ本体１０の幅方向内方に変位されている。また、該第２レッグ部弾性部材６３も、上記バックシート３と上記トップシート２とにより挟持固定されている。
そして、上記第１レッグ部弾性部材６２と上記第２レッグ部弾性部材６３とにより、３角形状が形成されるようになされている。
また、該第１レッグ部弾性部材６２及び第２レッグ部弾性部材６３は、図２に示すように、いずれも、それらの両端部が、上記弾性部材付設シート７に重ならないか又は重なってもそれらの端部が少し重なる程度となるように配されている。即ち、上記第１及び第２レッグ部弾性部材６２、６３は、該第１及び第２レッグ部弾性部材６２、６３により、上記弾性部材付設シート７におむつの長手方向への弾性力が加わってギャザーが形成されることのないように配するのが、フィット性や装着感の点から好ましい。
【００１７】
上記第１レッグ部弾性部材６２と上記第２レッグ部弾性部材６３との股下部Ｃの中央部における間隔Ｄ2 （図４参照）は、５〜１５０mmとするのが好ましい。
また、股下部Ｃの中央部における各第２レッグ部弾性部材６３、６３間の間隔Ｄ3 （図２参照）は、−１５０〜１５０mmとするのが好ましい。（尚、−は、各第２レッグ部弾性部材６３、６３が交差する場合である）
【００１８】
また、上記接合部８は、各弾性部材付設シート７の上記トップシート２側同士が当接するように、側縁部７ａ，７ｂと側縁部７ａ’，７ｂ’とが接合されて形成されている。そして、このように接合されることにより、腹側部Ａの胴部５に形成されたギャザーと背側部Ｂの胴部５に形成されたギャザーとが連結されて、実質的におむつの胴周囲全体に連続した胴回りギャザーが形成される。
【００１９】
ここで、上記弾性部材付設シート７としては、下記する形成材料からなるシートなどを好ましく挙げることができる。
不織布、フィルム、布などが用いられ、特に、通気性、肌触りの点で不織布が好ましい。
【００２０】
また、上記胴部弾性部材５１並びに第１及び２レッグ部弾性部材６２、６３としては、通常使い捨ておむつに用いられているものであれば特に制限なく用いることができるが、上記胴部弾性部材５１の太さは、０．１〜０．５mmとするのが好ましく、上記第１レッグ部弾性部材６２の太さは、０．１〜０．５mmとするのが好ましく、上記第２レッグ部弾性部材６３の太さは、０．１〜０．５mmとするのが好ましい。更に、上記胴部弾性部材５１の弾性率は、１．０〜５．０×１０6 Paとするのが好ましく、上記第１レッグ部弾性部材６２の弾性率は、１．０〜５．０×１０6 Paとするのが好ましく、上記第２レッグ部弾性部材６３の弾性率は、１．０〜５．０×１０6 Paとするのが好ましい。
尚、上記弾性率は、下記の如くして測定されるものである。
弾性率は、「レオメーターＤＭＳ２００」（セイコーインストルメンツ社製）を用いて常法に準じて測定。
各第１及び第２レッグ部弾性部材の伸長率は、３０〜２００％とするのが好ましい。
【００２１】
本形態のパンツ型の使い捨ておむつ１は、通常公知のパンツ型の使い捨ておむつと同様にして使用することができる。
具体的には、図５に示すように、従来のパンツ型の使い捨ておむつと同様にして装着して用いることができる。そして、本形態の使い捨ておむつ１は、上述の構成を具備しているため、脚周りＲの開放感に優れている。また、上記第１及び第２レッグ部弾性部材６２、６３を有しているため、脚周りＲの開放感に優れた構成としても、フィット性を損なうことがなく、フィット性に優れ且つ漏れ防止性に優れたものである。
【００２２】
更に、本形態のパンツ型の使い捨ておむつ１は、図５に示すように、使用者において、股下部Ｃに３つ、腹側部Ａ及び背側部Ｂにおける着用者の下腹部に位置する部位にそれぞれ１つづつ、使い捨ておむつのおむつ本体１０が外方に凸状に起伏してなるポケット部９ａ、９ｂ、９ｃが形成される。即ち、本形態のパンツ型の使い捨ておむつ１は、上記第１及び第２レッグ部弾性部材６２、６３と上記胴部弾性部材５１とにより、腹側部Ａ及び背側部Ｂにおける着用者の下腹部に位置する部位にそれぞれ１つづつポケット部９ａ（背側部Ｂに形成されたポケット部は図示せず）が形成されるようになされており、また、上記第１及び第２レッグ部弾性部材６２、６３により、着用時に着用者の股下に位置する股下部Ｃにおいて、第１レッグ部弾性部材６２と第２レッグ部弾性部材６３との間にポケット部９ｃが形成され、一対の第２レッグ部弾性部材６３間にポケット部９ｂが形成されるようになされている。そして、該ポケット部９ａ、９ｂ、９ｃがあることにより、更に漏れ防止性が向上されている。
また、図６に示すように、吸収性フラップ１３と防漏フラップ１２とが別個に着用者に当接するのでフィット性がより向上される。そして、これに加えて、先ず吸収性フラップが着用者の排泄部の近傍に位置するので、排泄された尿等を効果的に吸収でき、さらに万一吸収性フラップ１３から漏れた場合でも、防漏フラップ１２が着用者の肌に当接しているので、この漏れた排泄液を効果的にせき止め、ポケット部９ｂに落とした後再度吸収体４に吸収させることができ、特に優れた漏れ防止性が発揮される。
【００２３】
本形態の使い捨ておむつ１は、好ましくは、下記の如くして製造することができる。
即ち、上記トップシート２上に上記第１及び第２レッグ部弾性部材６２、６３を配した後、上記吸収体４を載置し、また、別に上記胴部弾性部材５１を配して形成した上記弾性部材付設シート７を上記トップシート２上に配し、更に該吸収体及び該弾性部材付設シート７を覆うように上記バックシート３を配して弾性部材付設シート７が配されたおむつ本体１０を形成する。次いで、上記弾性部材付設シート７における上記おむつ本体１０から延出されている部分をそれぞれヒートシールなどにより接合して、本形態の使い捨ておむつを得ることができる。
【００２４】
尚、本発明の使い捨ておむつは、上述の形態に制限されるものではなく、本発明の趣旨を逸脱しない範囲で種々変更可能である。
例えば、上記第２レッグ部弾性部材６３は、トップシート２と吸収体４との間に位置するように配してもよい。
【００２５】
【発明の効果】
本発明のパンツ型の使い捨ておむつは、脚周りの開放感が良好で、装着感に優れ、更にはフィット性及び生産性にも優れたものである。
【図面の簡単な説明】
【図１】図１は、本発明のパンツ型の使い捨ておむつの１形態を示す斜視図である。
【図２】図２は、図１に示すパンツ型の使い捨ておむつの展開図である。
【図３】図３は、図２のIII -III拡大断面図である。
【図４】図４は、図２のIV-IV 拡大断面を模式的に示す断面図である。
【図５】図５は、本発明のパンツ型の使い捨ておむつの使用状態を示す概要図である。
【図６】図６は、図５に示す使い捨ておむつのVI-VI 断面図（股下部中央部における幅方向断面図）である。
【符号の説明】
１  使い捨ておむつ
２  トップシート
３  バックシート
４  吸収体
４３  フラップ弾性部材
５  胴部
６  レッグ部
７  弾性部材付設シート
７０ａ、７０ｂ、７０ａ’、７０ｂ’  側方部
８  接合部
１０  おむつ本体
１０ａ、１０ｂ  側縁
１１  中央吸収部
１２  防漏フラップ
１３  吸収性フラップ
５０  胴回り部
５１  胴部弾性部材
６１  レッグ部弾性部材
６２  第１レッグ部弾性部材
６３  第２レッグ部弾性部材
Ａ  腹側部
Ｂ  背側部
Ｃ  股下部
【図１】
0003926015.tif 000002
【図２】
0003926015.tif 000003
【図３】
0003926015.tif 000004
【図４】
0003926015.tif 000005
【図５】
0003926015.tif 000006
【図６】
0003926015.tif 000007